(57)【要約】【課題】画像形成部において消耗品を交換する際の画像形成装置の操作性を高くすることができるようにする。【解決手段】媒体に画像を形成するための画像形成部、及び該画像形成部の上部に配設され、原稿Ｍの画像を読み取るための画像読取部を備えるようになっている。そして、画像読取部の揺動中心と前記画像形成部の蓋部材の揺動中心とが同一軸上に配設される。この場合、前記画像読取部の揺動中心と前記画像形成部の蓋部材の揺動中心とが同一軸上に配設されるので、画像形成部において消耗品を交換する際の画像形成装置の操作性を高くすることができる。【選択図】図１
2009053315.tif 000002
【特許請求の範囲】
【請求項１】
媒体に画像を形成するための画像形成部、及び該画像形成部の上部に配設され、原稿の画像を読み取るための画像読取部を備えた画像形成装置において、
前記画像読取部の揺動中心と前記画像形成部の蓋部材の揺動中心とが同一軸上に配設されることを特徴とする画像形成装置。
【請求項２】
前記蓋部材の回動に連動して前記画像読取部を回動させる連動機構を有する請求項１に記載の画像形成装置。
【請求項３】
前記画像形成部を回動させるときは、前記連動機構による連動が解除される請求項２に記載の画像形成装置。
【請求項４】
前記画像読取部と蓋部材とを係止させる係止機構を有する請求項１に記載の画像形成装置。
【発明の詳細な説明】
【技術分野】
【０００１】
本発明は、画像形成装置に関するものである。
【背景技術】
【０００２】
従来、画像形成部、例えば、プリンタの上に、画像読取部、例えば、スキャナが搭載された一体型の画像形成装置である複合機においては、スキャナとプリンタのカバーとを独立させて回転させることができるようになっている（例えば、特許文献１参照。）。
【特許文献１】特開２００５−５３６４８号公報
【発明の開示】
【発明が解決しようとする課題】
【０００３】
しかしながら、前記従来の複合機においては、スキャナとプリンタのカバーとを独立させて回転させることができるようになっているので、プリンタにおいて消耗品を交換する場合、スキャナを開いてからプリンタのカバーを開かなくてはならず、複数回の操作が必要になり、操作性が低くなってしまう。
【０００４】
本発明は、前記従来の複合機の問題点を解決して、画像形成部において消耗品を交換する際の操作性を高くすることができる画像形成装置を提供することを目的とする。
【課題を解決するための手段】
【０００５】
そのために、本発明の画像形成装置においては、媒体に画像を形成するための画像形成部、及び該画像形成部の上部に配設され、原稿の画像を読み取るための画像読取部を備えるようになっている。
【０００６】
そして、前記画像読取部の揺動中心と前記画像形成部の蓋部材の揺動中心とが同一軸上に配設される。
【発明の効果】
【０００７】
本発明によれば、画像形成装置においては、媒体に画像を形成するための画像形成部、及び該画像形成部の上部に配設され、原稿の画像を読み取るための画像読取部を備えるようになっている。
【０００８】
そして、前記画像読取部の揺動中心と前記画像形成部の蓋部材の揺動中心とが同一軸上に配設される。
【０００９】
この場合、前記画像読取部の揺動中心と前記画像形成部の蓋部材の揺動中心とが同一軸上に配設されるので、画像形成部において消耗品を交換する際の画像形成装置の操作性を高くすることができる。
【発明を実施するための最良の形態】
【００１０】
以下、本発明の実施の形態について図面を参照しながら詳細に説明する。この場合、第１の画像処理部としての画像形成部であるプリンタの上に第２の画像処理部としての画像読取部であるスキャナが搭載された一体型の画像形成装置である複合機について説明する。
【００１１】
図１は本発明の第１の実施の形態における複合機の概略図、図２は本発明の第１の実施の形態におけるスキャナ及びプリンタのトップカバーの回転支点部の斜視図である。
【００１２】
図において、１１は電子写真方式によって媒体としての用紙Ｐに画像を形成するプリンタであり、該プリンタ１１は、現像剤像としてのトナー像を形成する画像形成ユニット１２Ｂｋ、１２Ｙ、１２Ｍ、１２Ｃ、該各画像形成ユニット１２Ｂｋ、１２Ｙ、１２Ｍ、１２Ｃと対向させて配設され、前記用紙Ｐにトナー像を転写するための転写装置としての転写ベルトユニット１５、前記各画像形成ユニット１２Ｂｋ、１２Ｙ、１２Ｍ、１２Ｃと対向させて配設され、複数のＬＥＤ素子を軸線方向に配列することによって形成された露光装置としてのＬＥＤヘッド１６、媒体収容部としてのカセット７１、該カセット７１に収容された用紙Ｐを送り出すための給紙ユニット１７、前記用紙Ｐを搬送するための搬送ローラ１８、前記用紙Ｐに転写されたトナー像を熱によって定着させる定着装置としての定着器１９、前記トナー像が定着させられた用紙Ｐをプリンタ１１外に排出する用紙排出部２０、及び排出された用紙Ｐを積載するスタッカ２１を備える。
【００１３】
そして、各画像形成ユニット１２Ｂｋ、１２Ｙ、１２Ｍ、１２Ｃは、現像剤としてのトナーを供給する現像剤カートリッジとしてのトナーカートリッジ１３、像担持体としての感光体ドラム７３等を備える。また、前記転写ベルトユニット１５は、駆動ローラ１５ａ、従動ローラ１５ｂ、前記駆動ローラ１５ａと従動ローラ１５ｂとの間に張設された搬送部材としての転写ベルト１５ｃ、該転写ベルト１５ｃを介して前記各感光体ドラム７３と対向させて配設された転写部材としての転写ローラ７４等を備える。
【００１４】
一方、スキャナ２２は、プリンタ１１の上部に配設される。そして、スキャナ２２は、画像を読み取る原稿Ｍをセットするための原稿台２４、該原稿台２４に対して揺動自在に、かつ、開閉自在に配設され、閉鎖時に原稿Ｍを原稿台２４に対して押さえるための原稿カバー２５、前記原稿台２４内に配設され、画像を読み取るためのスキャナ部２６、前記原稿台２４と原稿カバー２５との間に原稿Ｍを連続的に給紙するための原稿供給部としてのＡＤＦ２７等を備える。
【００１５】
そして、スキャナ２２とプリンタ１１の第１の蓋部材としてのトップカバー２８との回転支点部においては、プリンタ１１の側部筐体であるサイドプレート２９に支持軸部としてのポスト３０が固定され、該ポスト３０を揺動中心として、第２の蓋部材としてのプレートカバー３１が揺動自在に配設され、該プレートカバー３１に、プリンタ１１の頂部筐体である前記トップカバー２８が取り付けられる。また、前記ポスト３０を揺動中心として、支持部材としてのプレートアーム３２が揺動自在に配設され、該プレートアーム３２によってスキャナ２２が揺動自在に支持される。このように、プレートカバー３１の揺動中心とスキャナ２２の揺動中心とが同一軸上に配設される。なお、前記プレートカバー３１及びプレートアーム３２によって、トップカバー２８の回動に連動してスキャナ２２を回動させる連動機構が構成される。
【００１６】
前記プレートアーム３２にカム３３が取り付けられ、前記プレートカバー３１から突出させられた支持部材３１ａに、カム３３と当接させて規制部材としてのストッパ３４が移動自在に配設される。該ストッパ３４は、前記スキャナ２２を揺動させたときに、カム３３との間で摩擦負荷を発生させる。そのために、ストッパ３４をカム３３に向けて付勢する第１の付勢部材としてのコイルスプリング３５が配設される。また、前記プレートアーム３２の前縁ａは、スキャナ２２の回動に伴って、前記支持部材３１ａと当接させられる。なお、プレートカバー３１にも第２の付勢部材としての図示されないトーションスプリングが配設される。
【００１７】
さらに、プリンタ１１の後部には後部筐体としてのリヤカバー３６が後方に突出させて配設される。
【００１８】
次に、前記構成の複合機の動作について説明する。
【００１９】
まず、プリンタ１１において、給紙ユニット１７によって１枚ずつ分離させられた用紙Ｐは、搬送ローラ１８によって画像形成ユニット１２Ｂｋ、１２Ｙ、１２Ｍ、１２Ｃと転写ベルトユニット１５との間に搬送される。
【００２０】
そして、転写ベルト１５ｃの走行に伴って用紙Ｐが搬送される間、各感光体ドラム７３の表面にトナー像が形成され、各色のトナー像が用紙Ｐに重ねて転写され、カラーのトナー像が形成される。続いて、用紙Ｐは定着器１９に送られ、用紙Ｐ上のカラーのトナー像が定着器１９において定着させられ、更に、用紙排出部２０によって搬送され、スタッカ２１に排出され、積載される。
【００２１】
一方、スキャナ２２において原稿Ｍの画像を読み取り、読み取った画像を印刷する場合、まず、原稿Ｍをスキャナ２２の原稿台２４又はＡＤＦ２７にセットする。次に、スキャナ部２６によって原稿Ｍの画像を読み取る。そして、読み取った画像の画像データはプリンタ１１に送信され、該プリンタ１１は送信された画像データの印刷を行う。
【００２２】
図３は本発明の第１の実施の形態におけるスキャナの開放状態を示す複合機の断面図である。
【００２３】
図に示されるように、トップカバー２８を開かず、スキャナ２２だけを開いた場合、連動機構による連動は解除され、プレートカバー３１（図２）は回動させられず、プレートアーム３２が回動させられる。このとき、ストッパ３４はカム３３に押し付けられているので、摩擦負荷によってスキャナ２２は任意の位置で停止させられる。
【００２４】
また、リヤカバー３６は、後方に向けて、斜め上方に突出させて形成された停止部材としてのストッパ３６ａを備えているので、該ストッパ３６ａにプレートアーム３２の後縁を当てることによって、スキャナ２２が所定の角度以上回動するのを阻止することができる。なお、２１はスタッカ、Ｐは用紙である。
【００２５】
図４は本発明の第１の実施の形態におけるプリンタのトップカバーの開放状態を示す複合機の断面図である。
【００２６】
図に示されるように、トップカバー２８を開くと、該トップカバー２８に取り付けられたプレートカバー３１も同時に回動させられる。このとき、プレートカバー３１の支持部材３１ａがプレートアーム３２を押し付けながら回動させられるので、プレートカバー３１に連動してプレートアーム３２も回転させられる。
【００２７】
したがって、トップカバー２８と共にスキャナ２２を開くことができる。このとき、前記ストッパ３６ａ（図３）にプレートアーム３２の後縁を当てることによって、スキャナ２２及びトップカバー２８が所定の角度以上回動するのを阻止することができる。
【００２８】
このように、本実施の形態においては、プリンタ１１のトップカバー２８を開閉する場合、スキャナ２２も同一軸上で連動して開閉するので、スキャナ２２及びプリンタ１１のトップカバー２８の両方を開閉操作する必要がなくなる。したがって、画像形成ユニット１２Ｂｋ、１２Ｙ、１２Ｍ、１２Ｃ、トナーカートリッジ１３、転写ベルトユニット１５、定着器１９等の消耗品を交換する際の複合機の操作性を高くすることができる。
【００２９】
また、トップカバー２８を閉じたままスキャナ２２だけを開閉することもできるので、スタッカ２１に排出され、積載された印刷済みの用紙Ｐを容易に取り出すことができる。
【００３０】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００３１】
図５は本発明の第２の実施の形態におけるスキャナの開放状態を示す複合機の断面図、図６は本発明の第２の実施の形態におけるプリンタのトップカバーの開放状態を示す複合機の断面図である。
【００３２】
この場合、スキャナ２２の所定の箇所に、弾性体、本実施の形態においては、ゴムによって形成された係止部材としての突起５１が形成され、第１の蓋部材としてのトップカバー２８における突起５１と対応する箇所に、前記突起５１が嵌入される被係止部材としての孔５２が形成される。なお、前記突起５１及び孔５２によってスキャナ２２とトップカバー２８とを係止させる係止機構が構成される。なお、Ｐは媒体としての用紙である。
【００３３】
前記構成の複合機において、図５に示されるように、スキャナ２２を開く場合、トップカバー２８は、図示されないロックレバーによって固定されているので、スキャナ２２と連動して開くことはない。
【００３４】
一方、図６に示されるように、トップカバー２８を開くと、該トップカバー２８に取り付けられた第２の蓋部材としてのプレートカバー３１も同時に回動させられる。このとき、プレートカバー３１の支持部材３１ａがプレートアーム３２を押し付けながら回動させられるので、プレートカバー３１に連動してプレートアーム３２も回転させられる。したがって、トップカバー２８と共にスキャナ２２を開くことができる。
【００３５】
続いて、トップカバー２８を押し下げて閉じると、前記突起５１が孔５２内に圧縮させて嵌入されているので、スキャナ２２も連動して閉じる。
【００３６】
このように、本実施の形態においては、前記突起５１が孔５２内に圧縮させて嵌入されるようになっているので、スキャナ２２及びトップカバー２８を開いた後に、トップカバー２８を閉じると、スキャナ２２が連動して閉じるので、複合機の操作性を一層高くすることができる。
【００３７】
なお、本発明は前記各実施の形態に限定されるものではなく、本発明の趣旨に基づいて種々変形させることが可能であり、それらを本発明の範囲から排除するものではない。
【図面の簡単な説明】
【００３８】
【図１】本発明の第１の実施の形態における複合機の概略図である。
【図２】本発明の第１の実施の形態におけるスキャナ及びプリンタのトップカバーの回転支点部の斜視図である。
【図３】本発明の第１の実施の形態におけるスキャナの開放状態を示す複合機の断面図である。
【図４】本発明の第１の実施の形態におけるプリンタのトップカバーの開放状態を示す複合機の断面図である。
【図５】本発明の第２の実施の形態におけるスキャナの開放状態を示す複合機の断面図である。
【図６】本発明の第２の実施の形態におけるプリンタのトップカバーの開放状態を示す複合機の断面図である。
【符号の説明】
【００３９】
１１    プリンタ
２２    スキャナ
２８    トップカバー
３１    プレートカバー
３２    プレートアーム
Ｐ    用紙
Ｍ    原稿
【図１】
2009053315.tif 000003
【図２】
2009053315.tif 000004
【図３】
2009053315.tif 000005
【図４】
2009053315.tif 000006
【図５】
2009053315.tif 000007
【図６】
2009053315.tif 000008